(57)【要約】【課題】天井の高いハウスフィルムの内面のような被塗布面に適正な大きさの塗布液水滴を周辺に散らさずに無駄なく送達できる塗布機用補助具を提供すること。【解決手段】内部に空気流路１０ａが形成され、後端に空気の導入口１０ｂ、先端に空気の噴出口１０ｃを備えた筒状の本体１０と、該本体１０の先端中央に固定された塗布液を噴出するノズル１１とを備えてなり、前記ノズル１１の先端が、前記本体１０の空気の噴出口１０ｃと同位置あるいはその噴出口１０ｃよりも僅かに突出して配置されることを特徴とする塗布機用補助具。【選択図】        図１
2005144333.tif 000002
【特許請求の範囲】
【請求項１】
内部に空気流路が形成され、後端に空気の導入口、先端に空気の噴出口を備えた筒状の本体と、該本体の先端中央に固定された塗布液を噴出するノズルとを備えてなり、前記ノズルの先端が、前記本体の空気の噴出口と同位置あるいはその噴出口よりも僅かに突出して配置されることを特徴とする塗布機用補助具。
【請求項２】
筒状の本体の内部の空気流路に、空気の流れを層流状態のまま外部に噴出させる整流板を備えることを特徴とする請求項１記載の塗布機用補助具。
【請求項３】
整流板は、直交する２枚の羽根によって構成され、該２枚の羽根の直交する部位に塗布液を噴出するノズルを配置することを特徴とする請求項１又は２記載の塗布機用補助具。
【発明の詳細な説明】
【技術分野】
【０００１】
本発明は、塗布機用補助具に関し、詳しくは、天井の高いハウスフィルムの内面のような被塗布面に適正な大きさの塗布液水滴を周辺に散らさずに無駄なく送達できる塗布機用補助具に関する。
【背景技術】
【０００２】
従来、野菜や果物等の栽培用のパイプハウスやトンネルに被覆展張される農業用フィルムにおいて、その防曇性、流滴性を改善するため、シリカやアルミナ等のコロイドを含む防曇剤を塗布することが提案されている（特許文献１、２参照）。
【０００３】
この防曇剤は、非親水性の樹脂からなるフィルムの表面に親水性の無機被膜を形成することにより、フィルム表面の親水性を改善し、防曇性、流滴性を向上させることを狙ったものである。
【０００４】
このような塗布型防曇剤の塗布方法としては、従来、スプレー法、はけ塗り法等が知られている（特許文献３参照）。
【特許文献１】特公昭６４−５０７８号公報
【特許文献２】特公昭６３−４５４３２号公報
【特許文献３】特開２０００−２９７２７４号公報
【発明の開示】
【発明が解決しようとする課題】
【０００５】
従来、ハウスに展張したフィルムにスプレー法で塗布する場合、フィルムに近接して塗布しにくい問題がある。最近のハウスは天井が高いため、スプレーノズルの吐出口を天井のフィルムに近接することは不可能であり、またハウス内にはカーテン用のワイヤー等が張り巡らされており、スプレーノズルの吐出口を天井のフィルムに近接させることは更に困難になっている。更にワイヤーの間から塗布するのも大変面倒な作業である。
【０００６】
従って、必然的にフィルムから離れた状態で塗布することになるが、離れた位置から塗布すると、所定部に吹き付ける水滴を適正量送りつづけるのが難しく、しかもその周辺フィルムや、空中に大量の無駄な水滴を撒き散らすことになり、塗布液が無駄になるばかりでなく、塗布作業者に降りかかる問題がある。
【０００７】
遠くに水滴を飛ばそうとしても、従来のスプレー塗布では、噴霧状の微細水滴であるので、風圧で舞ってしまい、空中に散逸してしまう問題がある。
【０００８】
このため適正な大きさの水滴を周辺に散らさずに遠くへ無駄なく送達できる塗布手段の開発が望まれる。
【０００９】
なお、はけ塗り法では、広い面積に塗布むらなく一様に塗布液を塗布することが困難であること、及び、手作業であるため手が届かない場所への塗布は不可能であること等から作業性が極めて悪い問題がある。
【００１０】
そこで、本発明は、天井の高いハウスフィルムの内面のような被塗布面に適正な大きさの塗布液水滴を周辺に散らさずに無駄なく送達できる塗布機用補助具を提供することを課題とする。
【００１１】
本発明の他の課題は、以下の記載により明らかとなる。
【課題を解決するための手段】
【００１２】
上記課題は、以下の各発明によって解決される。
【００１３】
（請求項１）
内部に空気流路が形成され、後端に空気の導入口、先端に空気の噴出口を備えた筒状の本体と、該本体の先端中央に固定された塗布液を噴出するノズルとを備えてなり、前記ノズルの先端が、前記本体の空気の噴出口と同位置あるいはその噴出口よりも僅かに突出して配置されることを特徴とする塗布機用補助具。
【００１４】
（請求項２）
筒状の本体の内部の空気流路に、空気の流れを層流状態のまま外部に噴出させる整流板を備えることを特徴とする請求項１記載の塗布機用補助具。
【００１５】
（請求項３）
整流板は、直交する２枚の羽根によって構成され、該２枚の羽根の直交する部位に塗布液を噴出するノズルを配置することを特徴とする請求項１又は２記載の塗布機用補助具。
【発明の効果】
【００１６】
本発明によれば、天井の高いハウスフィルムの内面のような被塗布面に適正な大きさの塗布液水滴を周辺に散らさずに無駄なく送達できる塗布機用補助具を提供することができる。
【発明を実施するための最良の形態】
【００１７】
以下、本発明の実施の形態について図面を用いて詳細に説明する。
【００１８】
図１は、本発明に係る塗布機用補助具を示す断面図、図２は、本発明に係る塗布機用補助具を先端側から見た正面図である。
【００１９】
塗布機用補助具１は、補助具本体１０と、該補助具本体１０の先端に設けられた塗布液を噴出するためのノズル１１と、該補助具本体１１に対して空気を送る送風手段１２とを有している。
【００２０】
補助具本体１０は、内部が空気流路１０ａとされた円筒状の直管により形成されており、その後端（図１における右端）の開口が空気導入口１０ｂとされると共に、先端（図１における左端）の開口が空気噴出口１０ｃとされている。
【００２１】
補助具本体１０の内部には塗布液流通管１３が設けられている。塗布液流通管１３の一端１３ａは、補助具本体１０の後端に向けて延びると共に側壁１０ｄを貫通して該補助具本体１０の外部に突出している。他端１３ｂは補助具本体１０の空気噴出口１０ｃ近傍の中央に向かって伸びており、その先端にはノズル１１が設けられている。
【００２２】
１４は２枚の羽根を直交させて形成された整流板である。該整流板１４は空気流路１０ａ内を流れる空気を整流させ、層流状態を形成する役割を果たす。従って、層流状態を形成できれば、その長さは特に限定されない。
【００２３】
図示の態様では、２枚の整流板の直交する部位に、挿入孔１４Ａを形成し、該挿入孔１４Ａに塗布液流通管１３を挿通し、塗布液流通管１３を固定している。このような構成にすると、空気噴出口１０ｃから噴出する空気は層流状態で外部に噴出し、ノズル１１からの塗布液は層流状態で噴出する上記空気流の真中から噴出される。
【００２４】
補助具本体１０の側壁１０ｄから外部に突出した塗布液流通管１３の一端１３ａには、後述する塗布液ホースの一端を着脱可能に接続するための係着手段を有している。この係着手段は、塗布液ホースの一端を着脱可能に接続可能であれば任意であるが、既存の塗布機の塗布液ホースに設けられている係着手段と互いに接続可能に構成することが好ましく、これにより、本塗布機用補助具１を既存の塗布機に簡単に組み付けて使用することができる。すなわち、塗布機用補助具１における塗布液流通管１３及びノズル１１は、そのままで塗布液を微小な液滴状に噴出する従来の塗布機と同様の機能を有している。
【００２５】
本実施形態では塗布液ホースの一端を螺着するための螺子部１３ｃを設けている。
【００２６】
ノズル１１の先端には、後述するコンプレッサの圧力によって塗布液流通管１３内を圧送される塗布液を噴出させるノズル孔１１ａが開設されており、本実施形態では、このノズル孔１１ａが開口するノズル１１の先端が、補助具本体１０の空気噴出口１０ｃと同じ面位置あるいはその噴出口１０ｃよりも僅かに前方に突出して配置されている。
【００２７】
このような構成にすると、空気噴出口１０ｃから噴出する空気は層流状態で外部に噴出し、ノズル１１からの塗布液は層流状態で噴出する空気流の真中から噴出され、塗布液が拡散せずに遠くへ飛ばすことができる。
【００２８】
送風手段１２は、モータ１２ａの駆動によってファン１２ｂを回転させることにより送風を行うブロアにより構成されており、補助具本体１０の後端側の空気導入口１０ｂに向けて送風管１５を介して所定圧の空気を送るようになっている。送風管１５は、補助具本体１０の動きにフレキシブルに追従可能な可撓管により構成されており、補助具本体１０の後端に取り付けリング１６を螺着することによって取り付けられている。
【００２９】
この送風手段１２によって送られる空気の圧力は、ノズル１１のノズル孔１１ａから噴出して被塗布面に付着した塗布液を、該被塗布面に押圧しつつ該被塗布面上を拡散させる程度の圧力を有することが好ましい。図中の符号１２ｃは、送風手段１２による空気の圧力を適宜調整するための圧力調整スイッチである。作業者は、この圧力調整スイッチ１２ｃを調整してファン１２ｂの回転量を変更することにより、空気噴出口１０ｃから噴出される空気の圧力を、被塗布面の位置（高さ）に応じて適宜に調整することができる。
【００３０】
図３は、かかる塗布機用補助具１を用いた塗布装置の構成図である。図１と同一部位には同一符号を付し、それらの詳細な説明については省略する。
【００３１】
同図に示すように、塗布装置１００は、上述した塗布機用補助具１と、塗布液を貯留する塗布液タンク２と、コンプレッサ３と、塗布液ホース４とを有して構成されている。
【００３２】
塗布液ホース４は、補助具本体１０の塗布液流通管１３の一端１３ａの螺子部１３ｃに螺着され、コンプレッサ３の作動によって圧送される塗布液タンク２内の塗布液を補助具本体１０に送るようになっており、該塗布液流通管１３の他端１３ｂに設けられたノズル１１のノズル孔１１ａから塗布液を噴出させることができるようになっている。
【００３３】
次に、本発明に係る塗布機用補助具１の作用について説明する。
【００３４】
コンプレッサ３の作動により、塗布液タンク２内の塗布液は、塗布液ホース４及び塗布機用補助具１における塗布機流通管１３を通ってノズル１１先端のノズル孔１１ａから微小な液滴ｄとして噴出する（図４参照）。
【００３５】
これと同時に、送風手段２の作動により、所定圧の空気が送風管１５を通って空気導入口１０ｂから塗布液補助具１内の空気流路１０ａに送られ、該空気流路１０ａで整流され、層流状態となって、上記ノズル１１の周囲の空気噴出口１０ｃから塗布液補助具１の前方に向けて勢い良く噴出する。図４において符号ａは空気噴出口１０ｃから噴出する空気を示している。
【００３６】
ノズル孔１１ａから噴出した液滴ｄは、その直後、その周囲の空気噴出口１０ｃから勢い良く噴出する層流の空気ａに囲まれるようにして、その空気ａの層流流れによって、拡散することなく遠く前方に押しやられる。
【００３７】
このため、塗布液補助具１を手に持って高い天井のフィルム面に向けて塗布液を塗布しても、ノズル１１から噴出した適正な大きさの塗布液水滴（液滴ｄ）を周辺に散らさずに無駄なく送達できる。
【００３８】
ノズル孔１１ａから噴出し、空気噴出口１０ｃから層流状態で噴出する空気ａの流れに乗って被塗布面２００に付着した塗布液の液滴ｄは（図５（ａ）参照）、空気噴出口１０ｃから層流状態で噴出する空気ａによって、被塗布面２００に均一に塗布され、また、まばらな状態で水滴がフィルム面に付着したとしても、風圧によって水滴が面状に広がり（図５（ｂ）参照）、被塗布面２００に点々と付着した各液滴ｄ同士が互いに一体に繋がり合うようになり、これにより被塗布面２００上に塗布液による塗膜Ｄが形成される（図５（ｃ）参照）。
【００３９】
このような作用をより顕著に発揮するため、塗布機用補助具１におけるノズル１１のノズル孔１１ａから噴出される塗布液の液滴ｄの大きさは、５００〜３０００μｍとすることが好ましい。一般に、防曇剤等の塗布液の液滴の大きさは、広い被塗布面に亘って塗布できるように、１００〜２００μｍ程度の霧状とされ、５００〜３０００μｍ程度の液滴では、塗布むらを生じ易くなって液垂れを発生させ、塗布液の無駄を多量に生じるおそれがあったが、本発明に係る塗布機用補助具１を使用することにより、塗布むらや液垂れを生じることなく効率良く塗膜Ｄとすることができる。
【図面の簡単な説明】
【００４０】
【図１】本発明に係る塗布機用補助具を示す断面図
【図２】本発明に係る塗布機用補助具を先端側から見た正面図
【図３】本発明に係る塗布機用補助具を用いた塗布装置の構成図
【図４】塗布機用補助具から噴出した塗布液の様子を説明する図
【図５】（ａ）〜（ｃ）は、被塗布面に付着した塗布液の様子を説明する図
【符号の説明】
【００４１】
１：塗布機用補助具
１０：補助具本体
１０ａ：空気流路
１０ｂ：空気導入口
１０ｃ：空気噴出口
１０ｄ：側壁
１１：ノズル
１１ａ：ノズル孔
１２：送風手段
１２ａ：モータ
１２ｂ：ファン
１２ｃ：圧力調整スイッチ
１３：塗布液流通管
１３ａ：一端
１３ｂ：他端
１３ｃ：螺子部
１４：整流板
１５：送風管
１６：取り付けリング
２：塗布液タンク
３：コンプレッサ
４：塗布液ホース
１００：塗布装置
２００：被塗布面
ａ：空気
ｄ：液滴
Ｄ：塗膜
【図１】
2005144333.tif 000003
【図２】
2005144333.tif 000004
【図３】
2005144333.tif 000005
【図４】
2005144333.tif 000006
【図５】
2005144333.tif 000007